(57)【要約】【課題】  天井と床との間の間隔が異なっても対応することができる棚装置を提供する。【解決手段】  支柱１，１′の各上端部に上支持部４をそれぞれ上下方向へ位置調節可能に設ける。支柱１，１′の各下端部に下支持部５をそれぞれ上下方向へ位置調節可能に設ける。支柱１の上支持部４と下支持部５との間、及び支柱１′の上支持部４と下支持部５との各間に一対のワイヤ１３，１３を設ける。【選択図】図１
2006136574.tif 000002
【特許請求の範囲】
【請求項１】
上下に立設される一対の支柱と、この一対の支柱によって水平方向の両端部が支持された棚板と、上記一対の支柱の各下端部にそれぞれ設けられた下支持部と、上記一対の支柱の各上端部にそれぞれ設けられた上支持部と、一方の支柱の下支持部と上支持部との間に設けられた一対のワイヤと、他方の支柱の下支持部と上支持部との間に設けられた他の一対のワイヤとを備えた棚装置において、
上記下支持部と上記上連結部との少なくとも一方が上記支柱に上下方向へ位置調節可能に設けられていることを特徴とする棚装置。
【請求項２】
上記支柱が、長手方向を上下方向に向けた支柱本体と、この支柱本体の下端部に設けられ、上記支柱本体の下端部を床に取り付けるための下取付部と、上記支柱本体の上端部に設けられ、上記支柱本体の上端部を天井に取り付けるための上取付部とを有し、上記下取付部と上記上取付部との少なくとも一方が上記支柱本体に上下方向へ位置調節可能に設けられていることを特徴とする請求項１に記載の棚装置。
【請求項３】
上記上取付部と上記下取付部との少なくとも一方が上記支柱本体に着脱可能に設けられていることを特徴とする請求項２に記載の棚装置。
【請求項４】
上記棚板の上面を照射する照明器具が上記一対のワイヤによって支持されるとともに電気的に接続され、上記一対のワイヤに電源が接続されていることを特徴とする請求項１〜３に記載の棚装置。
【請求項５】
上記支柱には、棚板支持部が上下方向へ位置調節可能に設けられ、上記一対の支柱に設けられた一対の棚板支持部に上記棚板の両端部がそれぞれ載置固定されていることを特徴とする請求項１〜４のいずれかに記載の棚装置。
【請求項６】
上記棚板の一端部が上記一対の支柱のうちの一方に設けられた上記一対のワイヤによって支持され、上記棚板の他端部が上記一対の支柱のうちの他方に設けられた上記一対のワイヤによって支持されていることを特徴とする請求項１〜４のいずれかに記載の棚装置。
【発明の詳細な説明】
【技術分野】
【０００１】
この発明は、商品の陳列等に用いられる棚装置に関する。
【背景技術】
【０００２】
一般に、この種の棚装置は、一対の支柱と、各支柱によって一端部と他端部とが支持された棚板と、一方の支柱の上端部と下端部との間に掛け渡された一対のワイヤと、他方の支柱の上端部と他端部との間に掛け渡された他の一対のワイヤとを備えている。一対のワイヤには、棚板が連結されたり（特許文献１参照）、あるいは照明器具が設けられたりする。
【０００３】
【特許文献１】特開平８−７３０１２号公報
【発明の開示】
【発明が解決しようとする課題】
【０００４】
上記構成の棚装置は、一対の支柱の各下端部が床に固定され、各上端部が天井に固定された状態で支持される。したがって、支柱の長さは、床と天井との間隔に合わせる必要がある。このため、従来の棚装置においては、床と天井との間隔に応じて長さが異なる各種の支柱を準備しておかなければならず、そのための費用が嵩むという問題がった。
【０００５】
そこで、この出願の発明者は、長さの長い支柱を用意し、その支柱の上端部又は下端部を切り落とすことにより、支柱の長さを床と天井との間隔に合わせることを考えた。ところが、支柱の上端部と下端部とには、ワイヤの上端部と下端部とがそれぞれ連結されるワイヤ支持部材とワイヤ連結部材固定とがそれぞれ固定されているため、支柱の上端部又は下端部を切り落としてその長さを床と天井との間隔に合わせることができなかった。
【課題を解決するための手段】
【０００６】
この発明は、上記の問題を解決するためになされたもので、上下に立設される一対の支柱と、この一対の支柱によって水平方向の両端部が支持された棚板と、上記一対の支柱の各下端部にそれぞれ設けられた下支持部と、上記一対の支柱の各上端部にそれぞれ設けられた上支持部と、一方の支柱の下支持部と上支持部との間に設けられた一対のワイヤと、他方の支柱の下支持部と上支持部との間に設けられた他の一対のワイヤとを備えた棚装置において、上記下支持部と上記上連結部との少なくとも一方が上記支柱に上下方向へ位置調節可能に設けられていることを特徴としている。
この場合、上記支柱が、長手方向を上下方向に向けた支柱本体と、この支柱本体の下端部に設けられ、上記支柱本体の下端部を床に取り付けるための下取付部と、上記支柱本体の上端部に設けられ、上記支柱本体の上端部を天井に取り付けるための上取付部とを有し、上記下取付部と上記上取付部との少なくとも一方が上記支柱本体に上下方向へ位置調節可能に設けられていることが望ましい。
上記上取付部と上記下取付部との少なくとも一方が上記支柱本体に着脱可能に設けられていることが望ましい。
上記棚板の上面を照射する照明器具が上記一対のワイヤによって支持されるとともに電気的に接続され、上記一対のワイヤに電源が接続されていることが望ましい。
上記支柱には、棚板支持部が上下方向へ位置調節可能に設けられ、上記一対の支柱に設けられた一対の棚板支持部に上記棚板の両端部がそれぞれ載置固定されていることが望ましい。
上記棚板の一端部が上記一対の支柱のうちの一方に設けられた上記一対のワイヤによって支持され、上記棚板の他端部が上記一対の支柱のうちの他方に設けられた上記一対のワイヤによって支持されていることが望ましい。
【発明の効果】
【０００７】
上記特徴構成を有するこの発明によれば、支柱の長さを、床と天井との間の間隔のうちの通常に採用される最大のものと同等以上の長さにしておく。そして、棚装置を設置する場合には、支柱の長さが床と天井との間の間隔に適合するように、支柱の下端部又は上端部を切り落とす。このとき下支持部材及び／又は上支持部材が上下方向へ位置調節可能であるから、上下の支持部材は、下端部又は上端部が切り落とされた支柱に問題なく取り付けることができる。
【発明を実施するための最良の形態】
【０００８】
以下、この発明を実施するための最良の形態を、図面を参照して説明する。
図１〜図６は、この発明の第１実施の形態を示す。図１及び図２に示すように、この実施の形態の棚装置Ａは、長手方向を上下方向に向けて立設された一対の支柱１，１′と、各支柱１，１′にそれぞれ複数宛て設けられた棚板支持部２と、一対の支柱１，１′に設けられた棚板支持部２，２に両端部が支持された複数の棚板３と、各支柱１，１の下端部にそれぞれ設けられた下支持部４と、各支柱１，１′の上端部にそれぞれ設けられた上支持部５とを備えている。
【０００９】
一対の支柱１，１′のうちの一方の支柱１は、支柱本体１Ａと、この支柱本体１Ａの上端部に設けられた上取付部１Ｂと、支柱本体１Ａの下端部に設けられた下取付部１Ｃとを有している。支柱本体１Ａは、例えばアルミニウム等の金属からなるものであり、断面略四角形の枠状をなす外壁部１ａを有している。この外壁部１ａのうちの、支柱２と対向する辺部及びこの辺部に隣接する辺部には、取付溝１ｂが形成されている。外壁部１ａの内面には、複数の補強リブ１ｃが形成されており、各補強リブ１ｂの内側の端部には断面円形の筒部１ｄが形成されている。
【００１０】
上取付部１Ｂは、図６に示すように、筒部１ｄの上端開口部に螺合するねじ部材（図示せず）によって支柱本体１Ａの上端部に着脱可能に固定された固定部材１ｅと、この固定部材１ｅにねじ機構（図示せず）を介して上下方向へ位置調節可能に、かつ回転可能に設けられた可動部材１ｆ（図６参照）と、この可動部材１ｆに固定された木ねじ部１ｇとによって構成されている。そして、上取付部１Ｂは、可動部材１ｆを回転させて木ねじ部１ｇを天井にねじ込むことにより、可動部材１ｆが天井に押圧固定され、これによって支柱１の上端部が天井に固定されている。しかも、ねじ機構によって可動部材１ｆと固定部材１ｅとの間の間隔を調節することにより、支柱本体１Ａの上下方向の位置が調節可能になっている。
【００１１】
下取付部１Ｃは、上取付部１Ｂと上下対称に構成されている。したがって、下取付部１Ｃも、固定部材１ｅ、可動部材１ｆ及び木ねじ部１ｇを有しており、木ねじ部１ｇを床にねじ込んで可動部材１ｆを床に押圧固定することにより、支柱１の上端部が床に固定されている。勿論、ねじ機構によって可動部材１ｆと固定部材１ｅとの間の間隔を調節することにより、支柱本体１Ａの上下方向の位置が調節可能である。
【００１２】
一対の支柱１，１′のうちの他方の支柱１′は、一方の支柱１と鏡対称に構成されている。したがって、支柱１′も、支柱本体１Ａ、上取付部１Ｂ及び下取付部１Ｃを有している。なお、支柱１′に関する他の構成は、支柱１と同様ないしは鏡対称である。そこで、以下においては支柱１についてのみ説明することとし、支柱１′に関する構成ついての説明は省略する。
【００１３】
図４及び図５に示すように、棚板支持部２は、可動支持部２ａを有している。この可動支持部２ａは、その一部が取付溝２ｂに上下方向へ移動可能に挿入されており、ねじ部材６によって支柱１に固定されている。したがって、可動部材２ａは、ねじ部材６を緩めることによって上下方向へ位置調節することができ、その後ねじ部材６を締め付けることによって支柱１に固定されている。可動支持部２ａは、軸線を支柱１，１′の対向方向（以下、左右方向という。）に向けた円板部２ｂを有している。この円板部２ｂには、回動支持部２ｃの円板部２ｄがねじ部材７によって回転位置調節可能に固定されている。円板部２ｄの円板部２ｂに対する回転位置は、円板部２ｄに設けられた多数の孔２ｅのいずれかに円板部２ｂに設けられた突起（図示せず）を嵌合させることによって調節可能である。
【００１４】
回動支持部２ｃは、円板部２ｄの一側部に円板部２ｄと直交するようにして他方の支柱１′側に延びる支持板部２ｆを有している。この支持板部２ｄは、円板部２ｄの回動位置を調節することにより、棚装置Ａの通常の使用時には上下方向に向けられ、棚装置Ａの不使用時には通常の使用時に対して７０〜８０°程度回動した方向に向けられるが、目的に応じて適宜変更される。支持板部２ｄには、有底円筒状をなす固定部材２ｇの底部がボルト８及びナット９によって固定されている。
【００１５】
棚板３は、ガラス板、化粧板等からなるものであり、その左右方向の両端部には、下方へ向かって小径になるテーパ状の取付孔３ａが形成されている。この取付孔３ａには、取付部材１０が座金１１を介して嵌合されている。この取付部材１０は、棚板３の下面から下方へ突出する円筒部１０ａを有しており、この円筒部１０ａには、固定部材２ｇが螺合されている。したがって、回動部材１０を回動させて円筒部１０ａを固定部材２ｇにねじ込むと、回動部材１０と固定部材２ｇが棚板３を上下に挟持する。これにより、棚板３の左右方向の一端部が棚板支持部２に固定され、ひいては支柱１に上下方向へ位置調節可能に支持されている。勿論、棚板３の他端部は、支柱１′に棚板支持部２を介して上下方向へ位置調節可能に支持されている。
【００１６】
図６に示すように、支柱１の上端部には、上支持部４が上下方向へ位置調節可能に設けられている。すなわち、上支持部４は、可動部４ａを有しており、この可動部４ａはその一部が取付溝１ｂに上下方向へ移動可能に挿入され、ねじ部材１２によって支柱１に固定されている。したがって、可動部４ａは、ねじ部材１２を緩めることによって上下方向へ位置調節可能であり、位置調節後にねじ部材１２を締め付けることによって所望の位置に固定されている。しかも、可動部４ａは、上下の向きを逆にして支柱１に取り付け可能であり、その場合にも可動部材４ａは支柱１に上下方向へ位置調節に取り付けられている。
【００１７】
可動部４ａには、前後方向に延びる支持板４ｂの中央部が固定されている。支持板４ｂの前後方向の両端部の下面には、連結具４ｃが固定されている。連結具４ｃは、支持板４ｂの下面に固定された固定部材４ｄと、この固定部材４ｄの下端部に前後方向を向く軸線を中心として回動可能に連結された中間部材４ｅと、この中間部材４ｅの下端部に螺合された連結部材４ｆとから構成されている。
【００１８】
支柱１の下端部には、下支持部５が上下方向へ位置調節可能に設けられている。下支持部５は、上支持部４と上下対称に構成されている。しかも、可動部４ａが上下逆にして支柱１に取付可能であることから、上支持部４を上下逆に取り付けることによって下支持部５とされている。そこで、下支持部５については、上支持部４と同一の構成に同一符号を付してその説明を省略する。
【００１９】
上支持部４の連結部材４ｆには、ワイヤ１３の上端部が相対回動可能に連結されている。ワイヤ１３の下端部は、下支持部４の連結部材４ｆに相対回動可能に連結されている。したがって、上下の支持部４，５の連結部材４ｆの少なくとも一方を中間部材４ｅに対して回動させることにより、ワイヤ１３を所望の強さで上下に引っ張ることができる。支柱１に設けられた一対のワイヤ１３，１３には、電源（図示せず）が接続されている。この電源は、例えば１０Ｖ程度の低電圧であり、ワイヤ１３に触れても人体に影響を及ぼすことはない。
【００２０】
支柱１に設けられた一対のワイヤ１３，１３には、支持具１４の前後方向の一端部と他端部とが上下方向へ位置調節可能に支持されており、支持具１４には棚板３の上面を照明するための照明器具１５が設けられている。照明器具１５は、支持具１４を介してワイヤ１３，１３に電気的に接続されている。したがって、電源をＯＮ，ＯＦＦすることにより、照明器具１５を点滅させることができる。しかも、照明器具１５は、支持具１４に適宜の回動阻止力をもって回動可能に支持されており、任意の回動位置で位置固定することができる。
【００２１】
上記構成の棚装置Ａを床と天井との間に設置する場合には、下取付部５を床に固定するとともに、上取付部４を天井に固定する。このとき、支柱１の長さが通常の床と天井との間の間隔より長くなっているので、その間隔に合わせて支柱１の長さを調節する。支柱１の長さ調節は、支柱本体１Ａから上取付部１Ｂと下取付部１Ｃとの少なくとも一方を取り外し、支柱本体１Ａの上端部又は下端部を切り落とすことによって行うことができる。その後、上下の取付部１Ｂ，１Ｃを支柱本体１Ａに再度取り付ければよい。したがって、この棚装置Ａによれば、床と天井との間の間隔が異なる各種の建物に対応することができる。
【００２２】
また、この実施の形態の棚装置Ａでは、連結具４ｃの固定部材４ｄと中間部材４ｅとが回動可能に連結されているので、図７に示すように、支柱１に設けられた上支持部４（下支持部５）の中間部材４ｅを支柱１′側に向けるとともに、支柱１′に設けられた上支持部４（下支持部５）の中間部材４ｅを支柱１側に向け、両支柱１，１′の連結部材４ｆ，４ｆにワイヤ１３の左右方向の一端部と他端部とを連結した状態で棚装置Ａを用いることができる。一対のワイヤ１３，１３には、照明器具１５が支持具１４を介して支持されている。
【００２３】
図８〜図１０は、この発明の第２実施の形態を示す。この実施の形態の棚装置Ｂにおいては、棚板３がワイヤ１３によって支持されている。すなわち、支柱１に設けられた各ワイヤ１３には、支持具１６が固定されており、この支持具１３によって棚板１３の一端部が支持されている。同様に、支柱１に設けられたワイヤ１３には、棚板３の他端部が支持具１６を介して支持されている。その他の構成は、上記実施の形態と同様であるので、同様な構成部分には同一符号を付してその説明を省略する。
【図面の簡単な説明】
【００２４】
【図１】この発明の第１実施の形態を斜め上方から見た斜視図である。
【図２】同実施の形態を斜め下方から見た斜視図である。
【図３】同実施の形態において用いられている支柱本体の断面図である。
【図４】同実施の形態の一部を拡大して示す斜視図である。
【図５】図１のＸ−Ｘ線に沿う拡大断面図である。
【図６】同実施の形態の一部を拡大して示す斜視図である。
【図７】同実施の形態を一使用例を示す斜視図である。
【図８】この発明の第２実施の形態を示す斜視図である。
【図９】同実施の形態の一部を上方から見た拡大斜視図である。
【図１０】同実施の形態の一部を下方から見た拡大斜視図である。
【符号の説明】
【００２５】
Ａ  棚装置
Ｂ  棚装置
１，１′  支柱
１Ａ  支柱本体
１Ｂ  上取付部
１Ｃ  下取付部
２  棚板支持部
３  棚板
４  上支持部
５  下支持部
１３  ワイヤ
１５  照明器具
【図１】
2006136574.tif 000003
【図２】
2006136574.tif 000004
【図３】
2006136574.tif 000005
【図４】
2006136574.tif 000006
【図５】
2006136574.tif 000007
【図６】
2006136574.tif 000008
【図７】
2006136574.tif 000009
【図８】
2006136574.tif 000010
【図９】
2006136574.tif 000011
【図１０】
2006136574.tif 000012
【手続補正書】
【提出日】平成17年7月5日(2005.7.5)
【手続補正１】
【補正対象書類名】特許請求の範囲
【補正対象項目名】請求項１
【補正方法】変更
【補正の内容】
【請求項１】
上下に立設される一対の支柱と、この一対の支柱によって水平方向の両端部が支持された棚板と、上記一対の支柱の各下端部にそれぞれ設けられた下支持部と、上記一対の支柱の各上端部にそれぞれ設けられた上支持部と、一方の支柱の下支持部と上支持部との間に設けられた一対のワイヤと、他方の支柱の下支持部と上支持部との間に設けられた他の一対のワイヤとを備えた棚装置において、
上記下支持部と上記上支持部との少なくとも一方が上記支柱に上下方向へ位置調節可能に設けられていることを特徴とする棚装置。
【手続補正２】
【補正対象書類名】明細書
【補正対象項目名】０００６
【補正方法】変更
【補正の内容】
【０００６】
この発明は、上記の問題を解決するためになされたもので、上下に立設される一対の支柱と、この一対の支柱によって水平方向の両端部が支持された棚板と、上記一対の支柱の各下端部にそれぞれ設けられた下支持部と、上記一対の支柱の各上端部にそれぞれ設けられた上支持部と、一方の支柱の下支持部と上支持部との間に設けられた一対のワイヤと、他方の支柱の下支持部と上支持部との間に設けられた他の一対のワイヤとを備えた棚装置において、上記下支持部と上記上支持部との少なくとも一方が上記支柱に上下方向へ位置調節可能に設けられていることを特徴としている。
この場合、上記支柱が、長手方向を上下方向に向けた支柱本体と、この支柱本体の下端部に設けられ、上記支柱本体の下端部を床に取り付けるための下取付部と、上記支柱本体の上端部に設けられ、上記支柱本体の上端部を天井に取り付けるための上取付部とを有し、上記下取付部と上記上取付部との少なくとも一方が上記支柱本体に上下方向へ位置調節可能に設けられていることが望ましい。
上記上取付部と上記下取付部との少なくとも一方が上記支柱本体に着脱可能に設けられていることが望ましい。
上記棚板の上面を照射する照明器具が上記一対のワイヤによって支持されるとともに電気的に接続され、上記一対のワイヤに電源が接続されていることが望ましい。
上記支柱には、棚板支持部が上下方向へ位置調節可能に設けられ、上記一対の支柱に設けられた一対の棚板支持部に上記棚板の両端部がそれぞれ載置固定されていることが望ましい。
上記棚板の一端部が上記一対の支柱のうちの一方に設けられた上記一対のワイヤによって支持され、上記棚板の他端部が上記一対の支柱のうちの他方に設けられた上記一対のワイヤによって支持されていることが望ましい。
【手続補正３】
【補正対象書類名】明細書
【補正対象項目名】０００８
【補正方法】変更
【補正の内容】
【０００８】
以下、この発明を実施するための最良の形態を、図面を参照して説明する。
図１〜図６は、この発明の第１実施の形態を示す。図１及び図２に示すように、この実施の形態の棚装置Ａは、長手方向を上下方向に向けて立設された一対の支柱１，１′と、各支柱１，１′にそれぞれ複数宛て設けられた棚板支持部２と、一対の支柱１，１′に設けられた棚板支持部２，２に両端部が支持された複数の棚板３と、各支柱１，１の上端部にそれぞれ設けられた上支持部４と、各支柱１，１′の下端部にそれぞれ設けられた下支持部５とを備えている。
【手続補正４】
【補正対象書類名】明細書
【補正対象項目名】０００９
【補正方法】変更
【補正の内容】
【０００９】
一対の支柱１，１′のうちの一方の支柱１は、支柱本体１Ａと、この支柱本体１Ａの下端部に設けられた下取付部１Ｂと、支柱本体１Ａの上端部に設けられた上取付部１Ｃとを有している。支柱本体１Ａは、例えばアルミニウム等の金属からなるものであり、断面略四角形の枠状をなす外壁部１ａを有している。この外壁部１ａのうちの、支柱２と対向する辺部及びこの辺部に隣接する辺部には、取付溝１ｂが形成されている。外壁部１ａの内面には、複数の補強リブ１ｃが形成されており、各補強リブ１ｂの内側の端部には断面円形の筒部１ｄが形成されている。
【手続補正５】
【補正対象書類名】明細書
【補正対象項目名】００１０
【補正方法】変更
【補正の内容】
【００１０】
上取付部１Ｃは、図６に示すように、筒部１ｄの上端開口部に螺合するねじ部材（図示せず）によって支柱本体１Ａの上端部に着脱可能に固定された固定部材１ｅと、この固定部材１ｅにねじ機構（図示せず）を介して上下方向へ位置調節可能に、かつ回転可能に設けられた可動部材１ｆ（図６参照）と、この可動部材１ｆに固定された木ねじ部１ｇとによって構成されている。そして、上取付部１Ｂは、可動部材１ｆを回転させて木ねじ部１ｇを天井にねじ込むことにより、可動部材１ｆが天井に押圧固定され、これによって支柱１の上端部が天井に固定されている。しかも、ねじ機構によって可動部材１ｆと固定部材１ｅとの間の間隔を調節することにより、支柱本体１Ａの上下方向の位置が調節可能になっている。
【手続補正６】
【補正対象書類名】明細書
【補正対象項目名】００１１
【補正方法】変更
【補正の内容】
【００１１】
下取付部１Ｂは、上取付部１Ｃと上下対称に構成されている。したがって、下取付部１Ｂも、固定部材１ｅ、可動部材１ｆ及び木ねじ部１ｇを有しており、木ねじ部１ｇを床にねじ込んで可動部材１ｆを床に押圧固定することにより、支柱１の上端部が床に固定されている。勿論、ねじ機構によって可動部材１ｆと固定部材１ｅとの間の間隔を調節することにより、支柱本体１Ａの上下方向の位置が調節可能である。
【手続補正７】
【補正対象書類名】明細書
【補正対象項目名】００１２
【補正方法】変更
【補正の内容】
【００１２】
一対の支柱１，１′のうちの他方の支柱１′は、一方の支柱１と鏡対称に構成されている。したがって、支柱１′も、支柱本体１Ａ、下取付部１Ｂ及び上取付部１Ｃを有している。なお、支柱１′に関する他の構成は、支柱１と同様ないしは鏡対称である。そこで、以下においては支柱１についてのみ説明することとし、支柱１′に関する構成ついての説明は省略する。
【手続補正８】
【補正対象書類名】明細書
【補正対象項目名】００１３
【補正方法】変更
【補正の内容】
【００１３】
図４及び図５に示すように、棚板支持部２は、可動支持部２ａを有している。この可動支持部２ａは、その一部が取付溝１ｂに上下方向へ移動可能に挿入されており、ねじ部材６によって支柱１に固定されている。したがって、可動支持部２ａは、ねじ部材６を緩めることによって上下方向へ位置調節することができ、その後ねじ部材６を締め付けることによって支柱１に固定されている。可動支持部２ａは、軸線を支柱１，１′の対向方向（以下、左右方向という。）に向けた円板部２ｂを有している。この円板部２ｂには、回動支持部２ｃの円板部２ｄがねじ部材７によって回転位置調節可能に固定されている。円板部２ｄの円板部２ｂに対する回転位置は、円板部２ｄに設けられた多数の孔２ｅのいずれかに円板部２ｂに設けられた突起（図示せず）を嵌合させることによって調節可能である。
【手続補正９】
【補正対象書類名】明細書
【補正対象項目名】００１４
【補正方法】変更
【補正の内容】
【００１４】
回動支持部２ｃは、円板部２ｄの一側部に円板部２ｄと直交するようにして他方の支柱１′側に延びる支持板部２ｆを有している。この支持板部２ｆは、円板部２ｄの回動位置を調節することにより、棚装置Ａの通常の使用時には上下方向に向けられ、棚装置Ａの不使用時には通常の使用時に対して７０〜８０°程度回動した方向に向けられるが、目的に応じて適宜変更される。支持板部２ｄには、有底円筒状をなす固定部材２ｇの底部がボルト８及びナット９によって固定されている。
【手続補正１０】
【補正対象書類名】明細書
【補正対象項目名】００１６
【補正方法】変更
【補正の内容】
【００１６】
図６に示すように、支柱１の上端部には、上支持部４が上下方向へ位置調節可能に設けられている。すなわち、上支持部４は、可動部４ａを有しており、この可動部４ａはその一部が取付溝１ｂに上下方向へ移動可能に挿入され、ねじ部材１２によって支柱１に固定されている。したがって、可動部４ａは、ねじ部材１２を緩めることによって上下方向へ位置調節可能であり、位置調節後にねじ部材１２を締め付けることによって所望の位置に固定されている。しかも、可動部４ａは、上下の向きを逆にして支柱１に取り付け可能であり、その場合にも可動部４ａは支柱１に上下方向へ位置調節に取り付けられている。
【手続補正１１】
【補正対象書類名】明細書
【補正対象項目名】００２１
【補正方法】変更
【補正の内容】
【００２１】
上記構成の棚装置Ａを床と天井との間に設置する場合には、下取付部５を床に固定するとともに、上取付部４を天井に固定する。このとき、支柱１の長さが通常の床と天井との間の間隔より長くなっているので、その間隔に合わせて支柱１の長さを調節する。支柱１の長さ調節は、支柱本体１Ａから下取付部１Ｂと上取付部１Ｃとの少なくとも一方を取り外し、支柱本体１Ａの上端部又は下端部を切り落とすことによって行うことができる。その後、上下の取付部１Ｂ，１Ｃを支柱本体１Ａに再度取り付ければよい。したがって、この棚装置Ａによれば、床と天井との間の間隔が異なる各種の建物に対応することができる。
【手続補正１２】
【補正対象書類名】明細書
【補正対象項目名】００２３
【補正方法】変更
【補正の内容】
【００２３】
図８〜図１０は、この発明の第２実施の形態を示す。この実施の形態の棚装置Ｂにおいては、棚板３がワイヤ１３によって支持されている。すなわち、支柱１に設けられた各ワイヤ１３には、支持具１６が固定されており、この支持具１６によって棚板３の一端部が支持されている。同様に、支柱１に設けられたワイヤ１３には、棚板３の他端部が支持具１６を介して支持されている。その他の構成は、上記実施の形態と同様であるので、同様な構成部分には同一符号を付してその説明を省略する。
【手続補正１３】
【補正対象書類名】明細書
【補正対象項目名】００２５
【補正方法】変更
【補正の内容】
【００２５】
Ａ  棚装置
Ｂ  棚装置
１，１′  支柱
１Ａ  支柱本体
１Ｂ  下取付部
１Ｃ  上取付部
２  棚板支持部
３  棚板
４  上支持部
５  下支持部
１３  ワイヤ
１５  照明器具
【手続補正１４】
【補正対象書類名】図面
【補正対象項目名】全図
【補正方法】変更
【補正の内容】
【図１】
2006136574.tif 000013
【図２】
2006136574.tif 000014
【図３】
2006136574.tif 000015
【図４】
2006136574.tif 000016
【図５】
2006136574.tif 000017
【図６】
2006136574.tif 000018
【図７】
2006136574.tif 000019
【図８】
2006136574.tif 000020
【図９】
2006136574.tif 000021
【図１０】
2006136574.tif 000022